【手続補正書】
【提出日】平成15年10月3日(2003.10.3)
【手続補正１】
【補正対象書類名】明細書
【補正対象項目名】全文
【補正方法】変更
【補正の内容】
【発明の名称】遊技機
【特許請求の範囲】
【請求項１】ガイドレールにより区画された遊技領域を備える遊技盤と、額縁状の前面枠と、前記遊技盤が収納される遊技盤収納フレームと、前記遊技盤が載置されるフレームボードとを備え、
前記前面枠の背面に前記遊技盤収納フレームと前記フレームボードとを固定し、
前記遊技盤は、前記遊技盤収納フレーム及び前記フレームボードによって囲われた収納空間内に、前記フレームボード上に載置された状態で収納され、
前記遊技盤表面に設けた遊技盤側係止部材と前記フレームボード表面に設けたボード側係止部材とを係止することにより、前記遊技盤をフレームボード上に定着する遊技機において、
前記遊技盤側係止部材は、
前方に延出する支持腕部と該支持腕部の先端部を上方に折り返して形成される側縁係合部とから構成されたガイドレール固定部と、
前記遊技盤に止着する取付ベース部と、
を備え、
前記遊技盤の所定位置に、前記遊技領域に設けられる障害釘を植設する際の位置基準となる基準穴を開設し、
該基準穴を利用して遊技盤側係止部材を取り付るように構成したことを特徴とする遊技機。
【請求項２】前記遊技盤には、その左下隅部に遊技盤前面構成部材を設け、
前記遊技盤側係止部材は、前記取付ベース部の左縁部に遊技盤前面構成部材係止部を、前方側へ段差をつけて屈曲させた状態で形成し、
前記遊技盤前面構成部材は、前記遊技盤の左下隅部とほぼ同じ形状の略三角形状に形成され、当該遊技盤前面構成部材の右縁部下方の奧側に係合突部を設け、
該係合突部が前記遊技盤前面構成部材係止部の裏面と前記遊技盤の表面との間に形成された空部に嵌合することにより、前記遊技盤前面構成部材の取付位置を定めることを特徴とする請求項１に記載の遊技機。
【発明の詳細な説明】
【０００１】
【発明の属する技術分野】
本発明は、ガイドレールを用いて遊技領域を区画した遊技盤と、この遊技盤が載置されるフレームボードとを備え、遊技盤とフレームボードのそれぞれに設けた係止部材により、遊技盤をフレームボード上に定着するように構成した遊技機に関する。
【０００２】
【従来の技術】
従来の技術を、代表的な遊技機であるパチンコ遊技機を例に挙げて説明する。
【０００３】
このパチンコ遊技機は、ガイドレールにより遊技領域を区画した遊技盤を備えている。この遊技盤は、パチンコ遊技機の本体に対して着脱可能に構成してある。即ち、遊技盤を交換可能に構成してある。
このため、遊技盤は、パチンコ遊技機の遊技盤収納枠内にて、フレームボード上に載置された状態で収納してあり、さらに、この収納状態において、遊技盤表面に設けた遊技盤側係止部材とフレームボード表面に設けたボード側係止部材とを係止させることにより、遊技盤をフレームボード上に定着してある。
【０００４】
このような遊技機では、遊技盤に取り付けたガイドレールは比較的薄い金属帯板で構成してあるため、このガイドレールの取り付けが困難であった。そして、この点に着目して改良を施した遊技機がある。
【０００５】
例えば、遊技盤側係止部材の一部を前方に延出してガイドレール支持部を形成し、このガイドレール支持部によりガイドレールの底面を支持するようにした遊技機がある。
この遊技機では、ガイドレール支持部により、取り付けたガイドレールにおける幅方向の角度を所定の角度位置に規制して、発射された遊技球がガラス面等に衝突するのを防止している。
【０００６】
また、特願平８−３３１０４号に記載された遊技機では、遊技盤の下端部に位置する基端部分を下側に折り返して形成した止着部を備えたガイドレールと、この止着部を装着可能な装着片を設けたレール固定金具とを有している。この装着片は、遊技盤表面に取り付けられる取付ベース部を前方に切り起こして設けた板状の部分である。
そして、この遊技機では、レール固定金具を遊技盤表面に止着した後に、止着部によりレール固定金具の装着片を挟持して、ガイドレールをレール固定金具に取り付けるようにしている。
即ち、ガイドレールを、レール固定金具を介して間接的に遊技盤表面に取付可能に構成して、ガイドレールの取付位置及び取付状態のばらつきをなくすようにしている。
【０００７】
【発明が解決しようとする課題】
ところで、ガイドレールの底面をガイドレール支持部により支持するように構成した遊技機では、パチンコ遊技機の組立作業時等において、ガイドレールに物が当接するなどしてガイドレールに上方へ移動する力が加わった場合には、ガイドレールが歪んでしまう虞があった。そして、ガイドレールが歪んだ場合には、この歪んだ部分で遊技球の進路が変わり、遊技球が遊技盤の前方を覆う前面ガラス等に衝突してしまう可能性があった。
【０００８】
また、特願平８−３３１０４号に記載された遊技機では、ガイドレールを取り付ける前に予めレール固定金具を遊技盤表面に止着しておかなければならず、作業に手間を要していた。特に、このレール固定金具はガイドレールの基端に取り付けるものであるので、ガイドレールの基端と遊技盤の下端部の間の狭い領域に対して正確な位置にレール固定金具を装着しなければならない。このため、ガイドレールの組付作業に熟練性をも必要とした。
また、ガイドレールの基端部分を折り返して形成した止着部で装着片を挟持するだけなので、強固に止めることが構造上できない。
さらに、ガイドレールの基端部分を折り返すので加工が難しく、又、ガイドレールの材質も限られてしまう。
【０００９】
そこで、本発明は、ガイドレールの歪みを防止できると共に、ガイドレールを容易に取り付けることができる遊技機を提供することを目的とする。
【００１０】
【課題を解決するための手段】
本発明は、上記した目的を達成するため提案されたもので、請求項１に記載のものは、ガイドレールにより区画された遊技領域を備える遊技盤と、額縁状の前面枠と、前記遊技盤が収納される遊技盤収納フレームと、前記遊技盤が載置されるフレームボードとを備え、
前記前面枠の背面に前記遊技盤収納フレームと前記フレームボードとを固定し、
前記遊技盤は、前記遊技盤収納フレーム及び前記フレームボードによって囲われた収納空間内に、前記フレームボード上に載置された状態で収納され、
前記遊技盤表面に設けた遊技盤側係止部材と前記フレームボード表面に設けたボード側係止部材とを係止することにより、前記遊技盤をフレームボード上に定着する遊技機において、
前記遊技盤側係止部材は、
前方に延出する支持腕部と該支持腕部の先端部を上方に折り返して形成される側縁係合部とから構成されたガイドレール固定部と、
前記遊技盤に止着する取付ベース部と、
を備え、
前記遊技盤の所定位置に、前記遊技領域に設けられる障害釘を植設する際の位置基準となる基準穴を開設し、
該基準穴を利用して遊技盤側係止部材を取り付るように構成したことを特徴とする遊技機である。
【００１１】
また、請求項２に記載のものは、前記遊技盤には、その左下隅部に遊技盤前面構成部材を設け、
前記遊技盤側係止部材は、前記取付ベース部の左縁部に遊技盤前面構成部材係止部を、前方側へ段差をつけて屈曲させた状態で形成し、
前記遊技盤前面構成部材は、前記遊技盤の左下隅部とほぼ同じ形状の略三角形状に形成され、当該遊技盤前面構成部材の右縁部下方の奧側に係合突部を設け、
該係合突部が前記遊技盤前面構成部材係止部の裏面と前記遊技盤の表面との間に形成された空部に嵌合することにより、前記遊技盤前面構成部材の取付位置を定めることを特徴とする請求項１に記載の遊技機である。
【００１２】
【発明の実施の形態】
以下、本発明の実施の形態を図面を参照して説明する。なお、以下の説明においては、代表的な遊技機であるパチンコ遊技機を例に挙げて説明する。
【００１３】
まず、パチンコ遊技機の全体的な構成について説明する。ここで、図１は、パチンコ遊技機１の正面図、図２は遊技盤８の取り付けを説明する分解斜視図である。
【００１４】
図１に示すように、例示したパチンコ遊技機１は、パチンコ機本体２と、遊技カードに記憶された情報の読み書き等を行うカードユニット３とから概略構成してある。パチンコ機本体２は機枠４により囲われており、この機枠４の前方（遊技者側）には額縁状の前面枠５を開閉可能に取り付けてある。前面枠５の前方には、窓部に前面ガラス６（透明部材の一種）を保持した額縁状の前面カバー部材７を、前面枠５に対して開閉可能に取り付けてある。
【００１５】
また、この前面枠５の窓部には、後方から臨ませた状態で遊技盤８を取り付けてある。具体的には、図２に示すように、この遊技盤８は、遊技盤収納フレーム１０及びフレームボード１１によって囲われた収納空部１２内に、フレームボード１１上に載置された状態で収納されている。なお、遊技盤８は、フレームボード１１の上端部に設けた遊技盤載置部１３上に載置された状態で収納されている。また、これらの遊技盤収納フレーム１０とフレームボード１１は、前面枠５の背面に前面枠５の窓部を塞ぐように後方から固定してある。
そして、収納空部１２に収納された遊技盤８は、図５に示すように、遊技盤８の表面下端部に止着された遊技盤側係止部材１４とフレームボード１１の表面上端部に止着されたボード側係止部材１５との係止によって、フレームボード１１上に定着する（止める）ように構成してある。なお、遊技盤側係止部材１４については、後で説明する。
【００１６】
そして、図１に示すように、前面枠５の下方に隣接して、上皿１７を前方に突設した開閉パネル１８を、前面枠５に開閉可能に取り付けてある。また、開閉パネル１８の下方には、発射操作部１９と下皿２０と灰皿２１とを設けてある。
【００１７】
次に、上記した遊技盤８の構成について詳細に説明する。ここで、図３は遊技盤８の正面図である。
【００１８】
図３に示すように、遊技盤８の前面（即ち、遊技盤表面）には、細長い帯状の金属板を円弧状に曲げたガイドレール２５を、遊技盤８の表面から前方に向けて起立させた状態で配設してあり、このガイドレール２５により遊技領域２６をほぼ円形状に区画している。
本実施形態では、このガイドレール２５を、外側ガイドレール２７と内側ガイドレール２８とから構成してある。そして、外側ガイドレール２７は、基端２７ａを遊技盤８の下端であって左右中央やや左寄りに、先端２７ｂを遊技領域２６における上部やや右側に位置させてあり、基端２７ａと先端２７ｂの間に亘って円弧状に配設してある。なお、外側ガイドレール２７の基端２７ａは、本願発明におけるガイドレールの傾斜下端に相当する。また、内側ガイドレール２８は、主に遊技領域２６の底部を区画する部材であり、その左端２８ａを遊技領域２６における上部左側に、右端２８ｂを遊技領域２６における下部右側に位置させてあり、左端２８ａと右端２８ｂとの間に亘って円弧状に配設してある。
そして、発射された遊技球は、外側ガイドレール２７と内側ガイドレール２８との間に区画される発射球通路２９内を、外側ガイドレール２７に沿って移動して遊技領域２６内に飛入する。
【００１９】
遊技領域２６の略中央には可変表示装置３１を配設してあり、可変表示装置３１の下方には始動口３２とアタッカー（大入賞口）３３とを配設してあり、アタッカー３３の下方、即ち遊技領域２６の最下端には、何れの入賞口にも入賞しなかったアウト球を受け入れるアウト口３４を設けてある。
この他に、遊技領域２６には、複数の一般入賞口３５を配設してあると共に、多数の障害釘３６…を植設してある。なお、図３では、いわゆる「命釘」と呼ばれる障害釘３６…のみ図示してある。
【００２０】
そして、本実施形態において、これらの障害釘３６…は、外側ガイドレール２７における基端部分の左側に開設した基準穴３７を位置基準として植設してある。即ち、これらの障害釘３６…は、自動釘打ち装置により植設するが、その際に、装置に設けた位置決めピンを基準穴３７と上端左寄りの基準穴３７´に嵌合させることにより、遊技盤８を所定位置にセットできるようにしてある。
これにより、障害釘３６…を植設する際において、装置の所定位置に遊技盤８を容易に且つ正確にセットすることができる。従って、セット作業を容易に行うことができる。
【００２１】
また、遊技盤８における左下隅部には遊技盤前面構成部材３８を設けてある。本実施形態における遊技盤前面構成部材３８は、遊技盤８の美観を向上させるための装飾を行う装飾部材として機能する部材であり、外側ガイドレール２７の外側、換言すれば、非遊技領域（即ち、遊技領域２６よりも遊技盤８における縁部側の領域）における左下隅部とほぼ同じ形状の略三角ブロック状の部材である。なお、本実施形態では、この遊技盤前面構成部材３８は合成樹脂により形成してある。
【００２２】
この遊技盤前面構成部材３８における下端部の右側であって、遊技盤前面構成部材３８と外側ガイドレール２７の基端２７ａとの間には、遊技盤側係止部材１４を設けてある。この遊技盤側係止部材１４は、上記したようにボード側係止部材１５が係止する部材であるが、本実施形態では、さらに、外側ガイドレール２７の基端部分（基端２７ａとその近傍）を固定する部材として機能すると共に遊技盤前面構成部材３８の縁部を係止する部材としても機能する。
【００２３】
以下、遊技盤側係止部材１４について詳細に説明する。ここで、図４は、遊技盤側係止部材１４の構成を説明する図であり、（ａ）が正面図、（ｂ）が底面図、（ｃ）が前方側から見た斜視図である。
【００２４】
本実施形態における遊技盤側係止部材１４は、金属製の板片により形成してあり、下縁部４１ａと左縁部４１ｂとが略直角に交差した略直角三角形状の取付ベース部４１と、この取付ベース部４１の下縁部４１ａに設けた屈曲係止部４２と、取付ベース部４１の上縁部４１ｃに設けたガイドレール固定部４３と、取付ベース部４１の左縁部４１ｂに設けた遊技盤前面構成部材係止部４４とを備えている。
なお、屈曲係止部４２、ガイドレール固定部４３及び遊技盤前面構成部材係止部４４は、取付ベース部４１と一体に設けてある。
【００２５】
取付ベース部４１は、遊技盤８の表面に止着される部分であり、ビスが貫通する複数のネジ孔４１ｄを開設してある。
屈曲係止部４２は、本実施形態における第１係止部として機能し、ボード側係止部材１５の係止リング１５ａ（本実施形態におけるボード側係止部材１５の係止部に相当）が係止する部分であり、取付ベース部４１の下縁部４１ａから前方に突設されて略Ｖ字状に屈曲させた部分である。即ち、取付ベース部４１の下縁部４１ａから前方斜め下向きに延設すると共に、その先端部を前方斜め上向きに屈曲させた部分である。
【００２６】
ガイドレール固定部４３は、取付ベース部４１の上縁部４１ｃから前方に向けて支持腕部４３ａを延設し、さらに、支持腕部４３ａの先端部分を上方（即ち、取付ベース部４１とは反対方向）に向けて略Ｕ字状に折り返して側縁係合部４３ｂを形成してある。なお、この側縁係合部４３ｂは、外側ガイドレール２７における基端部分の前方側縁を上下のがたつきなく保持可能なように、外側ガイドレール２７の厚みに応じた上下隙間で折り返してある。
換言すれば、外側ガイドレール２７における基端部分の前方側縁を側縁係合部４３ｂによって巻き込むように、支持腕部４３ａの先端部分を外側ガイドレール２７の上面側に折り返してある。
【００２７】
遊技盤前面構成部材係止部４４は、本実施形態における第２係止部として機能する部分であり、取付ベース４１の左縁部４１ｂと連続させると共に取付ベース部４１よりも前方側の段差をつけて屈曲させた状態で設けてある。即ち、遊技盤前面構成部材３８の係合突部３８ａが嵌合可能な空部を、遊技盤前面構成部材係止部４４の裏面と遊技盤８の表面との間に形成するように前方側に屈曲してある。
【００２８】
次に、上記した構成を有する遊技盤側係止部材１４の遊技盤８への取り付けについて説明する。
【００２９】
この遊技盤側係止部材１４は、障害釘３６…や可変表示装置３１、始動口３２、アタッカー３３及び一般入賞口３５といった役物等との相対位置関係を正確にするため、上記した基準穴３７を利用して取り付けてある。
即ち、図６に示すように、この基準穴３７には、合成樹脂製の位置決め部材４５を圧入してある。この位置決め部材４５は、ビスと螺合可能な雌ネジ４５ａを中心部に設けた円筒状部材であり、基準穴３７に圧入されることにより、雌ネジ４５ａが遊技盤８における所定位置に位置する。この基準穴３７は、障害釘３６を植設する際の位置基準であるため、遊技盤８における所定位置に開設されているからである。
【００３０】
そして、遊技盤側係止部材１４を遊技盤８の表面に止着する場合には、まず、取付ベース部４１に設けたネジ孔４１ｄの一つを、上記した位置決め部材４５の雌ネジ４５ａに位置合わせしてビスで固定すると共に、他のネジ孔４１ｄ…についても所定位置に合わせてビス止めする。
このように、本実施形態では、障害釘３６を植設する際の位置の基準となる基準穴３７を利用して遊技盤側係止部材１４を取り付るように構成したので、遊技盤側係止部材１４を所定位置に確実に止着でき、遊技領域２６内の障害釘３６…や役物等のとの相対位置関係、換言すれば、この遊技盤側係止部材１４により取り付けられる外側ガイドレール２７との相対位置関係を正確に定めることができる。さらに、取り付け用の止着孔を別途設ける必要がなくなり、遊技盤８の限られたスペースを有効に使用することができる。
【００３１】
なお、この遊技盤側係止部材１４の止着作業は、外側ガイドレール２７の基端部分を除いた部分を遊技盤８に取り付けた後で行うことができる。
これは、ガイドレール固定部４３の側縁係合部４３ｂを、取付ベース部４１とは反対方向に折り返してあるためで、側縁係合部４３ｂを外側ガイドレール２７の基端部分の前方側縁に引っ掛けると、取付ベース部４１は、ガイドレール固定部４３を挟んで外側ガイドレール２７とは反対側に位置し、外側ガイドレール２７と当接しないからである。
【００３２】
次に、止着された遊技盤側係止部材１４の機能について説明する。ここで、図５は、遊技盤８をフレームボード１１上に定着した状態における遊技盤側係止部材１４及びボード側係止部材１５の拡大して示した正面図、図６は、図５におけるＡ−Ａ断面図である。
【００３３】
図５及び図６に示すように、この係止状態では、遊技盤側係止部材１４の屈曲係止部４２（即ち、Ｖ字状屈曲部）には、ボード側係止部材１５の係止リング１５ａが係止される。
【００３４】
ガイドレール固定部４３は、支持腕部４３ａが外側ガイドレール２７の基端部分の底面に沿って延在し、この基端部分を下方から支える。さらに、ガイドレール固定部４３の側縁係合部４３ｂは、外側ガイドレール２７の基端部分の前方側縁部に係合して外側ガイドレール２７を上下両方向に対しても押さえる。
このため、外側ガイドレール２７は、ガイドレール固定部４３により、上下方向の移動を規制された状態で支持されている。また、外側ガイドレール２７は、前方に向いた起立状態、より詳しくは、外側ガイドレール２７における幅方向の角度を所定の設置角度とした状態で固定される。
従って、外側ガイドレール２７は、所定の止着状態を維持するので、発射された遊技球が正規の発射球通路から外れて前面ガラス６等に衝突するのを防止することができる。
また、外側ガイドレール２７の基端部分に対して物が衝突する等して、上側から下側に向かう力や下側から上側に向かう力が加わったとしても、このガイドレール固定部４３が外側ガイドレール２７を上下両方向ともに支持して補強しているので、外側ガイドレール２７が歪むのを防止することができる。
【００３５】
上記した遊技盤前面構成部材係止部４４には、遊技盤前面構成部材３８が嵌合する。即ち、遊技盤前面構成部材３８における右縁部下方の奥側（後方側）に設けた係合突部３８ａが、遊技盤前面構成部材係止部４４の裏面と遊技盤８の表面との間に形成された空部に嵌合する。この嵌合により、遊技盤側係止部材１４は、遊技盤前面構成部材３８ががたつくのを防止する。
また、遊技盤前面構成部材３８の取付位置は、係合突部３８ａと遊技盤前面構成部材係止部４４とが当接することにより定められる。即ち、作業者は、遊技盤前面構成部材３８の係合突部３８ａを遊技盤前面構成部材係止部４４に摺接させたり、遊技盤前面構成部材係止部４４の裏面と遊技盤８の表面との間に形成された空部に嵌合したりするなどにより、遊技盤前面構成部材係止部４４を利用して遊技盤前面構成部材３８の取付位置を定めることができる。このため、位置決め作業が容易になり、作業性の向上を図ることができる。
【００３６】
このように、本実施形態の遊技盤側係止部材１４は、本来の機能である遊技盤８とフレームボード１１とを係止する機能の他に、外側ガイドレール２７の基端部分を位置決めする機能並びに外側ガイドレール２７の歪みを防止する機能と、遊技盤前面構成部材３８の取付位置を定める機能とを備えている。
このため、遊技領域２６を極力広く設けるために狭く設けざるを得ない非遊技領域を有効に使用することができる。
【００３７】
なお、上記した実施形態では代表的な遊技機であるパチンコ遊技機を例示したが、このパチンコ遊技機以外にも、アレンジボール遊技機、雀球遊技機、パチコン遊技機等、遊技領域をガイドレールにより区画し、尚且つ、遊技盤表面に設けた遊技盤側係止部材とフレームボード表面に設けたボード側係止部材とにより、フレームボード上に遊技盤を定着する遊技機であれば、本発明を適用することができる。
【００３８】
【発明の効果】
以上説明したように本発明によれば、次の効果を奏する。
即ち、遊技盤側係止部材は、前方に延出する支持腕部と該支持腕部の先端部を上方に折り返して形成される側縁係合部とから構成されたガイドレール固定部と、遊技盤に止着する取付ベース部とを備えたので、遊技機の組立工程等において、ガイドレールが歪み難くなる。また、ガイドレールの取付位置や取付状態のばらつきを無くすこともできる。さらに、ガイドレールの傾斜下端に限らず支持することもできる。また、ガイドレール固定部の側縁係合部をガイドレールの前方側縁に引っ掛けた状態で遊技盤側係止部材を遊技盤表面に止着することができる。このため、遊技盤側係止部材を装着するにあたり、先にガイドレールを取り付けておき、その後に遊技盤側係止部材を遊技盤表面に止着することができる。従って、取付作業が容易になり、作業性の向上が図れる。
【００３９】
また、遊技盤の所定位置に、遊技領域に設けられる障害釘を植設する際の位置基準となる基準穴を開設し、該基準穴を利用して遊技盤側係止部材を取り付るように構成したので、遊技盤側係止部材を所定位置に確実に止着でき、遊技領域内の障害釘や役物等のとの相対位置関係、換言すれば、この遊技盤側係止部材により取り付けられる外側ガイドレールとの相対位置関係を正確に定めることができる。さらに、取り付け用の止着孔を別途設ける必要がなくなり、遊技盤の限られたスペースを有効に使用することができる。
【００４０】
そして、遊技盤には、その左下隅部に遊技盤前面構成部材を設け、前記遊技盤側係止部材は、前記取付ベース部の左縁部に遊技盤前面構成部材係止部を、前方側へ段差をつけて屈曲させた状態で形成し、前記遊技盤前面構成部材は、前記遊技盤の左下隅部とほぼ同じ形状の略三角形状に形成され、当該遊技盤前面構成部材の右縁部下方の奧側に係合突部を設け、該係合突部が前記遊技盤前面構成部材係止部の裏面と前記遊技盤の表面との間に形成された空部に嵌合することにより、前記遊技盤前面構成部材の取付位置を定めるので、遊技盤前面構成部材係止部により遊技盤前面構成部材をがたつきなく取り付けることができる。即ち、遊技盤側係止部材に複数の機能を付与したので、遊技盤表面の限られた領域を有効に使用することができる。
また、この遊技盤前面構成部材係止部を遊技盤前面構成部材の取付位置の基準とすることもでき、遊技盤前面構成部材の取り付けを容易に行わせることもできる。
【図面の簡単な説明】
【図１】パチンコ遊技機の正面図である。
【図２】遊技盤の取り付けを説明する分解斜視図である。
【図３】遊技盤の正面図である。
【図４】遊技盤側係止部材の構成を説明する図であり、（ａ）が正面図、（ｂ）が底面図、（ｃ）が前方側から見た斜視図である。
【図５】遊技盤とフレームボードとが係止した状態における遊技盤側係止部材及びボード側係止部材を拡大して示した正面図である。
【図６】図５におけるＡ−Ａ断面図である。
【符号の説明】
１  パチンコ遊技機
２  パチンコ機本体
３  カードユニット
４  機枠
５  前面枠
６  前面ガラス
７  前面カバー部材
８  遊技盤
１０  遊技盤収納フレーム
１１  フレームボード
１２  収納空部
１３  遊技盤載置部
１４  遊技盤側係止部材
１５  ボード側係止部材
１５ａ  係止リング
１７  上皿
１８  開閉パネル
１９  発射操作部
２０  下皿
２１  灰皿
２５  ガイドレール
２６  遊技領域
２７  外側ガイドレール
２７ａ  基端
２７ｂ  先端
２８  内側ガイドレール
２８ａ  左端
２８ｂ  右端
２９  発射球通路
３１  可変表示装置
３２  始動口
３３  アタッカー
３４  アウト口
３５  一般入賞口
３６  障害釘
３７  基準穴
３８  遊技盤前面構成部材
４１  取付ベース部
４１ａ  下縁部
４１ｂ  左縁部
４１ｃ  上縁部
４１ｄ  ネジ孔
４２  屈曲係止部
４３  ガイドレール固定部
４３ａ  支持腕部
４３ｂ  側縁係合部
４４  遊技盤前面構成部材係止部
４５  位置決め部材
４５ａ  雌ネジ